(57)【要約】      （修正有）【課題】火吹き筒と火ばさみの働きを同時に備えたキャンプ用具を提供することを目的とする。【解決手段】上端に空気の吹込口１２を構成し、下端に空気の排出口１４を構成すると共に内部に空気の通路１３を構成した第１アーム１０と、前記第１アーム１０の上部に連結部によって回動可能に取り付けた第２アーム２０と、第１アーム１０と第２アーム２０の間に設けた第２アームの回動手段４０及び回動角度調節手段５０とからなる焚き火用具。【選択図】図５
2018080888.tif 000002
【特許請求の範囲】
【請求項１】
上端に空気の吹込口を構成し、下端に空気の排出口を構成すると共に内部に空気の通路を構成した第１アームと、前記第１アームの上部に連結手段によって回動可能に取り付けた第２アームとからなり、前記第１アームによって焚き火に空気を供給し、前記第２アームを回動させて第１アームと第２アームの下端で物を挟むことを特徴とする焚き火用具。
【請求項２】
上端に空気の吹込口を構成し、下端に空気の排出口を構成すると共に内部に空気の通路を構成した第１アームと、前記第１アームの上部に連結手段によって回動可能に取り付けた第２アームと、第１アームと第２アームの間に設けた第２アームの回動手段及び回動角度調節手段とからなり、前記第１アームによって焚き火に空気を供給し、前記第２アームを回動させて第１アームと第２アームの下端で物を挟むことを特徴とする焚き火用具。
【発明の詳細な説明】
【技術分野】
【０００１】
本発明は、焚き火を行う際に使用する焚き火用具に関するものであり、特に焚き火に効率よく空気を供給すると共に、焚き火の中の物を取り出したりすることができる焚き火用具に関する。
【背景技術】
【０００２】
従来よりキャンプなどで焚き火を行うときに、焚き火に空気を供給するために、特許文献１に提示されているような火吹き筒を使用していた。また焚き火の燃焼物をかきまぜたり、焚き火の中の物を取り除いたりするときには特許文献２に提示されているようなトング状の火ばさみを使用していた。
【先行技術文献】
【特許文献】
【０００３】
【特許文献１】特開２０１４−９２３１３号公報
【０００４】
【特許文献２】実用新案登録第３１４６９２３号公報
【０００５】
前記のように、焚き火を効率よく行うためには火吹き筒と火ばさみが必要であるが、従来はそれらを別々に用意しなくてはならないため手間がかかるうえに携帯にも不便であるという課題があった。
【発明の概要】
【発明が解決しようとする課題】
【０００６】
本発明は上記のような従来例の課題を解決したもので、火吹き筒と火ばさみの働きを同時に備えた焚き火用具を提供することを目的とする。
【課題を解決するための手段】
【０００７】
請求項１に記載の発明は、上端に空気の吹込口を構成し、下端に空気の排出口を構成すると共に内部に空気の通路を構成した第１アームと、前記第１アームの上部に連結手段によって回動可能に取り付けた第２アームとからなり、前記第１アームによって焚き火に空気を供給し、前記第２アームを回動させて第１アームと第２アームの下端で物を挟むことを特徴とする焚き火用具である。
【０００８】
請求項２に記載の発明は、上端に空気の吹込口を構成し、下端に空気の排出口を構成すると共に内部に空気の通路を構成した第１アームと、前記第１アームの上部に連結手段によって回動可能に取り付けた第２アームと、第１アームと第２アームの間に設けた第２アームの回動手段及び回動角度調節手段とからなり、前記第１アームによって焚き火に空気を供給し、前記第２アームを回動させて第１アームと第２アームの下端で物を挟むことを特徴とする焚き火用具である。
【発明の効果】
【０００９】
請求項１記載の焚き火用具によれば、焚き火に空気を供給するための第１アームと、前記第１アームの上部に回動可能に取り付けた第２アームとからなるから、焚き火に空気を供給する手段と焚き火の中の物を取り出したりする手段とを同時に備えるので、使いやすく携帯に便利であり焚き火を効率的に行い楽しむことができる。
【００１０】
請求項２記載の焚き火用具によれば、前記第１アームと第２アームの間に第２アームの回動手段と回動角度調節手段を設けたから、前記請求項１の効果に加えて、第２アームを容易に回動でき、かつ所望の角度で固定して作業ができるから使いやすく作業効率が向上するという効果を奏する。
【図面の簡単な説明】
【００１１】
【図１】本発明の焚き火用具の正面図
【図２】本発明の焚き火用具の平面図
【図３】本発明の焚き火用具の底面図
【図４】第２アームを回動させて焚き火用具が開いた状態を示す正面図
【図５】図１の連結板を省略し第１アームの縦断面を示す一部切欠き拡大正面図
【図６】図４の連結板を省略し第１アームの縦断面を示す一部切欠き拡大正面図
【図７】焚き火に空気を供給している状態を示す説明図
【図８】掴み部で物を掴んでいる状態を示す説明図
【発明を実施するための形態】
【００１２】
図に基づいて本発明の焚き火用具の一実施形態を説明する。
図１、図５に示すように焚き火用具１は第１アーム１０と第２アーム２０からなる。第１アーム１０は内部に空気の通路１３を構成したパイプ状の本体１１と、この本体１１の上端に構成した空気の吹込口１２と半円球状の吹込み補助具１５及び下端に構成した空気の排出口１４とからなり、この空気の排出口１４に掴み部１６を取り付けてある。
【００１３】
第１アーム１０の上部には第２アーム２０を回動可能に連結するための連結部３０が取り付けてある。この連結部３０は方形の２枚の金属の連結板３１，３１を第１アーム１０の本体１１の上方の両側面に対向して固定し、その上部の一端にピン３２を設けたものである。そして第２アーム２０の本体２１は、前記連結板３１，３１の間に挟まれた状態でピン３２で回動可能に取り付けられている。
図中符号１９は第１アーム１０を持ちやすくするための把手部であり装飾を兼ねている。
【００１４】
前記掴み部１６は本体１１と同様の金属製の角パイプよりなるが、内側（第２アーム側）と先端を構成する金属板を取り除いた断面コ字状をなしており、内側と先端が開放した形状となっている。
これにより空気の通路１３より送られてきた空気は、図５矢印Ａに示すように空気の排出口１４より内側方向に向かって排出されるのである。そのため、焚き火の所望の位置に空気を供給することができ効率よく焚き火を行うことができる。図中符号１６ａは凹部である。
【００１５】
本実施形態では、第１アーム１０の全体の長さは約５０ｃｍ、材料は金属であるがこれに限定されず大きさや材質は任意に決定できる。また、本体１１は断面正方形の角パイプよりなるが円パイプその他の形状のパイプでもよい。
【００１６】
前記吹込み補助具１５、掴み部１６及び把手部１９の形状、大きさなどは任意に決定できる。
【００１７】
第２アーム２０は、前記第１アーム１０の連結部３０に回動可能に取り付けられていて、第１アーム１０に対して開閉可能な構成となっている。
第２アーム２０の本体２１は、前記第１アーム１０の本体１１と同様に角パイプからなるが、空気を吹き込む働きはないのでパイプ状に限定されず他の構造のものを採用できる。
本体２１の上端には回動角度を制限するためのストッパー２９が設けてあり、さらに前記第１アーム１０と同様の形状の把手部２５及び下端には掴み部２３が設けてある。
【００１８】
前記第１アーム１０と第２アーム２０の間には、回動手段としてのバネ４０が設けてあり、このバネ４０は第２アーム２０を常時第１アーム１０と反対側に回動するように付勢している。
【００１９】
前記第２アーム２０の本体２１の上端に回動角度調節手段５０が設けられている。この回動角度調節手段５０は前記本体２１の回動を調節して、第１アーム１０と第２アーム２０の開く角度を調節するもので、上端につまみ５１を備えたねじ部５２を本体２１に螺合して取り付けている。この回動角度調節手段５０によって第２アーム２０を所望の角度に開いて固定させることができる。
【００２０】
上記のように構成した焚き火用具の作用を説明する。
図５に示すように、第２アーム２０が閉じている初期状態では第１アーム１０と第２アーム２０は平行状態を保っていて、回動角度調節手段５０の先端部５３が第１アーム１０の本体１１に接触して第２アーム２０の回動を規制している。第１アーム１０による焚き火への空気の供給（図７参照）はこの状態で行えるのは勿論であるが、第２アーム２０が回動した状態でも行うことができる。
【００２１】
図６に示すように、回動角度調節手段５０のつまみ５１を回してねじ部５２を図中上方に螺進させると先端部５３は本体１１から離れる。これに伴い、本体２１はバネ４０の弾発力でピン３２を中心に回動して第１アーム１０と第２アーム２０は開いた状態となる。
【００２２】
この後、把手部１９と把手部２５を握ってバネ４０の弾発力に抗して第１アーム１０と第２アーム２０を閉じて、先端の掴み部１６、２３を合わることで物を挟むことができる（図８参照）。このようにバネ４０の弾発力を利用することで第１アーム１０と第２アーム２０の開閉作業が容易に行えるのである。
また前記のように第２アーム２０は連結板３１，３１で両側を挟まれた状態で回動するから横方向にずれることがないため、掴み部１６、２３の間で常に安定して物を掴むことができる。さらに掴み部１６、２３は内側が開放しているうえに凹部１６ａ、２３ａを有する構成であるから、物がすべらず掴みやすいというメリットもある。
【００２３】
前記第２アーム２０の回動手段４０は本実施形態のようなバネに限らず、例えば、第１アーム１０と第２アーム２０を常時開いた状態で、その上部をＵ字形の弾性部材で連結して、使用時は両アーム１０、２０を握って先端で物を挟むようにするような構成も採用できる。
【符号の説明】
【００２４】
１  焚き火用具            １０  第１アーム
１１  本体                  １２  空気の吹込口
１３  空気の通路            １４  空気の排出口
１５  吹込み補助具          １６  掴み部
１６ａ  凹部                １９  把手部  
２０  第２アーム            ２１  本体  
２３  掴み部                ２３ａ  凹部
２５  把手部                ２９  ストッパー
３０  連結部                ３１  連結板    
３２  ピン                  ４０  バネ（回動手段）
５０  回動角度調節手段      ５１  つまみ  
５２  ねじ部                ５３  先端部
【図１】
2018080888.tif 000003
【図２】
2018080888.tif 000004
【図３】
2018080888.tif 000005
【図４】
2018080888.tif 000006
【図５】
2018080888.tif 000007
【図６】
2018080888.tif 000008
【図７】
2018080888.tif 000009
【図８】
2018080888.tif 000010
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
上端に空気の吹込口を構成し、下端に空気の排出口を構成すると共に内部に空気の通路を構成した第１アームと、前記第１アームの上部に連結手段によって回動可能に取り付けた第２アームとからなり、前記第１アームと第２アームの間に、第２アームを常時第１アームと反対側に回動するように付勢する回動手段を設け、前記第２アームの本体の上端に、第１アームと第２アームの開く角度を調節するための、つまみを備えたねじ部からなる回動角度調節手段を取り付け、前記第１アームによって焚き火に空気を供給し、前記第２アームを回動させて第１アームと第２アームの下端で物を挟むことを特徴とする焚き火用具。
【手続補正２】
【補正対象書類名】明細書
【補正対象項目名】０００７
【補正方法】変更
【補正の内容】
【０００７】
請求項１に記載の発明は、上端に空気の吹込口を構成し、下端に空気の排出口を構成すると共に内部に空気の通路を構成した第１アームと、前記第１アームの上部に連結手段によって回動可能に取り付けた第２アームとからなり、前記第１アームと第２アームの間に、第２アームを常時第１アームと反対側に回動するように付勢する回動手段を設け、前記第２アームの本体の上端に、第１アームと第２アームの開く角度を調節するための、つまみを備えたねじ部からなる回動角度調節手段を取り付け、前記第１アームによって焚き火に空気を供給し、前記第２アームを回動させて第１アームと第２アームの下端で物を挟むことを特徴とする焚き火用具である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項１記載の焚き火用具によれば、焚き火に空気を供給するための第１アームと、前記第１アームの上部に回動可能に取り付けた第２アームとからなり、前記第１アームと第２アームの間に第２アームの回動手段と回動角度調節手段を設けたから、焚き火に空気を供給する手段と焚き火の中の物を取り出したりする手段とを同時に備え、かつ第２アームを容易に回動できると共に所望の角度で固定して作業ができるから使いやすく作業効率が向上するので、使いやすく携帯に便利であり焚き火を効率的に行い楽しむことができるという効果を奏する。
【手続補正５】
【補正対象書類名】明細書
【補正対象項目名】００１０
【補正方法】削除
【補正の内容】